【手続補正書】
【提出日】平成16年12月14日(2004.12.14)
【手続補正１】
【補正対象書類名】明細書
【補正対象項目名】特許請求の範囲
【補正方法】変更
【補正の内容】
【特許請求の範囲】
【請求項１】
複数金種の貨幣を受付けて、該受付け貨幣の識別を行う貨幣識別手段と、該貨幣識別手段における識別貨幣金額の範囲内の所定額を遊技に使用させるための貨幣使用処理を行う貨幣使用処理手段とを備え、遊技機に対応して設けられる遊技用装置と、
該遊技用装置と通信可能であって、該遊技用装置から送信される少なくとも前記貨幣識別手段にて受付けた受付け貨幣に関する情報を管理する遊技用管理装置と、
から成る遊技用システムであって、
前記遊技用装置は、前記貨幣識別手段にて受付けられて前記貨幣使用処理に供された貨幣金種を特定可能な金種情報を、前記遊技用装置を特定可能な情報とともに前記遊技用管理装置に送信し、
前記遊技用管理装置は、該送信されてきた遊技用装置を特定可能な情報と金種情報とに基づいて、１日分の遊技用装置毎の受付け貨幣金種別の数量を集計して出力し、不正がなされている可能性のある遊技用装置を選定できるようにしたことを特徴とする遊技用システム。
【請求項２】
遊技に使用可能な遊技用価値の大きさを特定可能な情報が少なくとも記録された遊技用記録媒体を受付けて、該遊技用記録媒体の記録情報を少なくとも読み取る記録媒体処理手段と、該読み取った記録情報から特定される遊技用価値の大きさを遊技に使用させるための遊技用価値使用処理を行う遊技用価値使用処理手段と、複数金種の貨幣を受付けて、該受付け貨幣の識別を行う貨幣識別手段と、該貨幣識別手段における識別貨幣金額の範囲内の所定額に相当する遊技用価値の大きさを前記遊技用記録媒体の記録情報より特定可能とするための発行処理及び／または価値加算処理を行う遊技用価値提供手段と、を備え、遊技機に対応して設けられる遊技用装置と、
該遊技用装置と通信可能であって、遊技用装置から送信される少なくとも前記貨幣識別手段にて受付けた受付け貨幣に関する情報を管理する遊技用管理装置と、
から成る遊技用システムであって、
前記遊技用装置は、前記貨幣識別手段にて受付られて前記発行処理及び／または価値加算処理に供された貨幣金種を特定可能な金種情報を、前記遊技用装置を特定可能な情報とともに前記遊技用管理装置に送信し、
前記遊技用管理装置は、該送信されてきた遊技用装置を特定可能な情報と金種情報とに基づいて、１日分の遊技用装置毎の受付け貨幣金種別の数量を集計して出力し、不正がなされている可能性のある遊技用装置を選定できるようにしたことを特徴とする遊技用システム。
【請求項３】
前記遊技用管理装置は、前記貨幣識別手段にて識別可能な全貨幣金種別の数量を出力可能に集計する請求項１または２に記載の遊技用システム。
【請求項４】
前記遊技用管理装置は、前記貨幣識別手段にて識別可能な貨幣金種の中から集計を行う貨幣金種を設定し、該設定した貨幣金種の集計を実施する請求項１〜３のいずれかに記載の遊技用システム。
【請求項５】
前記遊技用管理装置は、前記集計した貨幣金種の数量が所定数以上である遊技用装置を抽出するための抽出条件を設定し、該設定した抽出条件を満たす遊技用装置を識別可能に出力する請求項１〜４のいずれかに記載の遊技用システム。
【請求項６】
前記遊技用管理装置は、前記遊技用装置から送信されてきた前記貨幣金種を特定可能な金種情報並びに該遊技用装置を特定可能な情報とに基づき、各遊技用装置毎の貨幣受付け履歴を登録、管理する請求項１〜５のいずれかに記載の遊技用システム。
【請求項７】
前記遊技用記録媒体には該遊技用記録媒体を識別可能な識別情報が記録され、前記遊技用装置は、前記価値加算処理において、該価値加算処理の対象となる遊技用記録媒体の識別情報を前記遊技用管理装置に送信し、
前記遊技用管理装置は、該受信した価値加算処理の対象となる遊技用記録媒体の識別情報を該価値加算処理に供された受付け貨幣の貨幣受付け履歴に対応付けて登録する請求項６に記載の遊技用システム。
【請求項８】
前記遊技用管理装置は、前記遊技用装置から送信されてきた前記貨幣金種を特定可能な金種情報並びに該遊技用装置を特定可能な情報とに基づき、所定時間帯毎に各遊技用装置毎の貨幣金種別の数量を集計、管理する請求項１〜７のいずれかに記載の遊技用システム。
【手続補正２】
【補正対象書類名】明細書
【補正対象項目名】０００６
【補正方法】変更
【補正の内容】
【０００６】
【課題を解決するための手段】
前記した問題を解決するために、本発明の遊技用システムは、複数金種の貨幣を受付けて、該受付け貨幣の識別を行う貨幣識別手段と、該貨幣識別手段における識別貨幣金額の範囲内の所定額を遊技に使用させるための貨幣使用処理を行う貨幣使用処理手段とを備え、遊技機に対応して設けられる遊技用装置と、
該遊技用装置と通信可能であって、該遊技用装置から送信される少なくとも前記貨幣識別手段にて受付けた受付け貨幣に関する情報を管理する遊技用管理装置と、
から成る遊技用システムであって、
前記遊技用装置は、前記貨幣識別手段にて受付けられて前記貨幣使用処理に供された貨幣金種を特定可能な金種情報を、前記遊技用装置を特定可能な情報とともに前記遊技用管理装置に送信し、
前記遊技用管理装置は、該送信されてきた遊技用装置を特定可能な情報と金種情報とに基づいて、１日分の遊技用装置毎の受付け貨幣金種別の数量を集計して出力し、不正がなされている可能性のある遊技用装置を選定できるようにしたことを特徴としている。
この特徴によれば、各遊技機に対応して設置される各遊技用装置にて受付けた１日分の貨幣金種別の数量が、前記遊技用管理装置にて集計されて出力されるため、各遊技用装置毎に該遊技用装置にて受付けた１日分の各貨幣金種別の数量を把握することによって、異常な受付け状態の遊技用装置を特定できるようになり、不正の発見を容易化することができる。
【手続補正３】
【補正対象書類名】明細書
【補正対象項目名】０００７
【補正方法】変更
【補正の内容】
【０００７】
本発明の遊技用システムは、遊技に使用可能な遊技用価値の大きさを特定可能な情報が少なくとも記録された遊技用記録媒体を受付けて、該遊技用記録媒体の記録情報を少なくとも読み取る記録媒体処理手段と、該読み取った記録情報から特定される遊技用価値の大きさを遊技に使用させるための遊技用価値使用処理を行う遊技用価値使用処理手段と、複数金種の貨幣を受付けて、該受付け貨幣の識別を行う貨幣識別手段と、該貨幣識別手段における識別貨幣金額の範囲内の所定額に相当する遊技用価値の大きさを前記遊技用記録媒体の記録情報より特定可能とするための発行処理及び／または価値加算処理を行う遊技用価値提供手段と、を備え、遊技機に対応して設けられる遊技用装置と、
該遊技用装置と通信可能であって、遊技用装置から送信される少なくとも前記貨幣識別手段にて受付けた受付け貨幣に関する情報を管理する遊技用管理装置と、
から成る遊技用システムであって、
前記遊技用装置は、前記貨幣識別手段にて受付られて前記発行処理及び／または価値加算処理に供された貨幣金種を特定可能な金種情報を、前記遊技用装置を特定可能な情報とともに前記遊技用管理装置に送信し、
前記遊技用管理装置は、該送信されてきた遊技用装置を特定可能な情報と金種情報とに基づいて、１日分の遊技用装置毎の受付け貨幣金種別の数量を集計して出力し、不正がなされている可能性のある遊技用装置を選定できるようにしたことを特徴としている。
この特徴によれば、各遊技機に対応して設置される各遊技用装置にて受付けた１日分の貨幣金種別の数量が、前記遊技用管理装置にて集計されて出力されるため、各遊技用装置毎に該遊技用装置にて受付けた１日分の各貨幣金種別の数量を把握することによって、異常な受付け状態の遊技用装置を特定できるようになり、不正の発見を容易化することができる。
【手続補正４】
【補正対象書類名】明細書
【補正対象項目名】０２２９
【補正方法】変更
【補正の内容】
【０２２９】
（ａ）請求項１の発明によれば、各遊技機に対応して設置される各遊技用装置にて受付けた１日分の貨幣金種別の数量が、前記遊技用管理装置にて集計されて出力されるため、各遊技用装置毎に該遊技用装置にて受付けた１日分の各貨幣金種別の数量を把握することによって、異常な受付け状態の遊技用装置を特定できるようになり、不正の発見を容易化することができる。
【手続補正５】
【補正対象書類名】明細書
【補正対象項目名】０２３０
【補正方法】変更
【補正の内容】
【０２３０】
（ｂ）請求項２の発明によれば、各遊技機に対応して設置される各遊技用装置にて受付けた１日分の貨幣金種別の数量が、前記遊技用管理装置にて集計されて出力されるため、各遊技用装置毎に該遊技用装置にて受付けた１日分の各貨幣金種別の数量を把握することによって、異常な受付け状態の遊技用装置を特定できるようになり、不正の発見を容易化することができる。